(57)【特許請求の範囲】
【請求項１】
無線通信装置であって、
信号を送受信するトランシーバと、
前記トランシーバに接続された励起リンクと、
延在された位置で前記励起リンクに電気的に接続され、格納位置において前記励起リンクから電気的に切り離される冠状接触部を第１端に有するロッドアンテナと、
ハウジング内の前記ロッドアンテナの周りにあり、前記励起リンクに接続された第１端を有する第１のコイルと、
前記ロッドアンテナの第２端にある絶縁要素と、
前記ハウジングより上にあり前記第１のコイルの第２端に接触している導電性環であって、前記第２端は前記第１端の反対側にあり、前記導電性環の内径は前記絶縁要素と前記ロッドアンテナの内径より大きいところの導電性環と、
前記絶縁要素に担われ前記絶縁要素より上にある導体板であって、前記ロッドアンテナに垂直であり、前記導体環と平行である導体板と、
前記導体板と接続された第２のコイルであって、前記導体板は前記ロッドアンテナの格納位置において前記導電性環と接触するところの第２のコイルと、
を有することを特徴とする無線通信装置。
【請求項２】
請求項１に記載の無線通信装置であって、
前記絶縁要素は、前記アンテナが前記格納位置にあるとき、前記第１のコイル内にあることを特徴とする無線通信装置。
【請求項３】
延在可能なアンテナであって、
トランシーバに接続された励起リンクと、
延在された位置で前記励起リンクに電気的に接続され、格納位置において前記励起リンクから電気的に切り離される冠状接触部を第１端に有するロッドアンテナと、
ハウジング内の前記ロッドアンテナの周りにあり、前記励起リンクに接続された第１端を有する第１のコイルと、
前記ロッドアンテナの第２端にある絶縁要素と、
前記ハウジングより上にあり前記第１のコイルの第２端に接触している導電性環であって、前記第２端は前記第１端の反対側にあり、前記導電性環の内径は前記絶縁要素と前記ロッドアンテナの内径より大きいところの導電性環と、
前記絶縁要素に担われ前記絶縁要素より上にある導体板であって、前記ロッドアンテナに垂直であり、前記導体環と平行である導体板と、
前記導体板と接続された第２のコイルであって、前記導体板は前記ロッドアンテナの格納位置において前記導電性環と接触するところの第２のコイルと、
を有することを特徴とする延在可能なアンテナ。
【請求項４】
請求項３に記載の延在可能なアンテナであって、
前記絶縁要素は、前記アンテナが前記格納位置にあるとき、前記第１のコイル内にあることを特徴とする延在可能なアンテナ。
【発明の詳細な説明】
【０００１】
【発明の属する技術分野】
本発明は
−  トランシーバ回路に接続される励起リンクと、
−  一端が該励起リンクに接続された第一の放射螺旋と、
−  特に延在された位置での該励起リンクの方向からの、又はその方向でのエネルギーを放射し、及び／又は捕捉する放射ワイヤと、
−  該ワイヤの第二の端に隣接して配置された第二の螺旋と
からなり、格納位置から延在された位置へ延在されうるアンテナ装置からなる無線送信装置に関する。
【０００２】
本発明は同様にそのようなアンテナ用のアンテナ装置に関する。
【０００３】
【従来の技術】
本発明はＧＳＭ、ＡＭＰＳ，ＥＴＡＣＳ等々のセルラーネットワークで用いられる移動無線の分野に顕著に適用される。近年のネットワークでは用いられる通過帯域が比較的大きい。用いられる装置が携帯可能である場合には寸法は小さいことが望ましく、これはまた特に装置が通信に対して待機モードにある時に特にアンテナがまた可能な限り小さいことを要求する。アンテナはその場合にはその格納された位置に置かれる。故に広帯域動作はアンテナの小型化と共存するかどうかという問題が生ずる。小型のアンテナが広帯域で動作するときに問題があるかどうか考えなければならない。
【０００４】
そのようなアンテナ装置により形成される装置は欧州特許明細書第０６４４６０４号から知られている。
このアンテナは格納された位置でワイヤが励起装置に接続されるよう連続し、装置が送信モードにあるときに装置内にエネルギーを放出し、それは放射された電磁波を受ける回路を妨害し、また装置が受信モードにあるときに電磁波の受信を妨害するという欠点を有する。
【０００５】
【発明が解決しようとする課題】
本発明の目的は該欠点を大幅に軽減する上記の型の装置を提供することである。
【０００６】
【課題を解決するための手段】
故にそのような装置は例えば
−  該第二の螺旋の該ワイヤの第二の端を絶縁する絶縁要素を含むことを特徴とする。
斯くしてこの絶縁要素のおかげでワイヤの放射は格納された位置で顕著に減少される。
【０００７】
そのような装置はまた本発明の他の特徴により該ワイヤは延在された位置で該励起リンクに接続される接触片をその他端に有することを特徴とする。
斯くして本発明によれば延在された位置でワイヤと第一の螺旋が放射をなし、格納された位置では２つの螺旋が一緒に放射をなす。
【０００８】
【発明の実施の形態】
本発明のこれらの及び他の特徴は以下に記載される実施例を参照して詳細に説明され、明らかとなる。
図１は本発明による装置１を示す。この装置はＧＳＭ端末であり、故に小さい寸法を有する。それは通例のようにキーボード２、スクリーン３、マイクロホン４、スピーカ５からなる。それはまた図１の（Ａ）に示されるように格納された位置で、及び同じ図の（Ｂ）に示されるように延在された位置でアンテナ装置１０を含む。格納された位置は装置が通信用の待機モードにあるときに用いられる。これは装置の受信機部分のみが動作していることを意味する。アンテナの延在された位置で、装置は送信し、その場合にアンテナがマッチングされたときに性能はよりよい。
【０００９】
図２はアンテナ１０をより詳細に示す。（Ａ）ではこのアンテナは格納された位置に示され、（Ｂ）では延在された位置に示される。この図では符号２０はアンテナの励起位置を示す。この点は導電性環２１と接触しており、これは第一の螺旋２５の第一の端と接触する。この螺旋の他の端は導電性環２８と接触する。これらの２つの環２１、２８は放射ワイヤ３０が通過することを許容する。この放射ワイヤはアンテナが格納された位置にあるときに装置１に設けられた空洞３２を貫通し、アンテナが延在された位置にあるときに出てくる。第二の螺旋３５はこの放射ワイヤ３０上に位置する。
【００１０】
本発明によれば絶縁要素５０はこの螺旋３５と該ワイヤ３０の上端との機械的なリンクを提供する。この要素は図に設けられた切り欠き部分により（Ａ）で見ることができる。
ワイヤ３０の下端は円形の導電部分５５に機械的及び電気的に接続される。
斯くしてアンテナが延在された位置にあるときにはワイヤ３０及び螺旋２５は放射をなす。このワイヤ及びこの螺旋の電気的長さはλ／４に近いので（ここでλはアンテナが放射する平均波長である）アンテナはこれら２つの結合された共鳴システムにより大きな帯域幅を有する。
【００１１】
アンテナが格納位置にあるときには２つの螺旋は直列又はカスケードに接続され、これはそれらの機械的な高さを増加し、これによりこの高さとリンクされた無線効率を増加する。
図３はこれらのアンテナで得られた電圧定在波比（ＶＳＷＲ）で表された性能を示す。
【００１２】
（Ａ）には実線で示されるアンテナの性能が破線で示されるλ／４ワイヤのアンテナの性能と比較される。
（Ｂ）には実線で示されるアンテナの性能が単一の螺旋の破線で示されるアンテナの性能と比較される。
【図面の簡単な説明】
【図１】本発明による装置を示す。
【図２】（Ａ）に第一の位置での、（Ｂ）に第二の位置での本発明の装置の一部分をなすアンテナを示す。
【図３】これらのアンテナで得られた電圧定在波比（ＶＳＷＲ）で表された性能を示す。
【符号の説明】
１  無線送信装置
２  キーボード
３  スクリーン
４  マイクロホン
５  スピーカ
１０アンテナ装置
２０  アンテナの励起位置
２１、２８  導電性環
２５、３５  螺旋
３０  放射ワイヤ
３２  空洞
５０  絶縁要素
５５  導電体
【図１】
0003919895.tif 000002
【図２】
0003919895.tif 000003
【図３】
0003919895.tif 000004